(57)【要約】【課題】保管場所から個々の物品を容易に探し出すことのできる物品用のＩＣタグを提供すること。【解決手段】ＩＣチップと、このＩＣチップに接続された受信アンテナと、前記ＩＣチップに接続された発光素子とを備えてＩＣタグを構成し、ＩＣチップに、このＩＣタグに固有の識別情報を記憶させると共に、外部から前記アンテナを通じて前記識別情報を受信したとき、前記発光素子を発光させるように構成する。このため、多数の物品が同一の保管場所に保管されていた場合であっても、これら多数の物品の中から、このＩＣタグを取り付けた目的の物品を容易に探し出すことができる。また、保管場所が暗い場合であっても、発光素子が発光するから、目的の物品を探し出すことは容易である【選択図】図１
2016218501.tif 000002
【特許請求の範囲】
【請求項１】
ＩＣチップと、このＩＣチップに接続された受信アンテナと、前記ＩＣチップに接続された発光素子とを備えて成るＩＣタグであって、
前記ＩＣチップが、このＩＣタグに固有の識別情報を記憶しており、
外部から前記アンテナを通じて前記識別情報を受信したとき、前記発光素子を発光させることを特徴とするＩＣタグ。
【請求項２】
前記ＩＣチップと発光素子との間に、この発光素子の発光を制御する制御回路が接続されていることを特徴とする請求項１に記載のＩＣタグ。
【請求項３】
前記ＩＣチップが、前記アンテナを通じて外部から給電される電力で駆動されることを特徴とする請求項１又は２に記載のＩＣタグ。
【請求項４】
前記発光素子に給電する電池を備えることを特徴とする請求項１〜３のいずれかに記載のＩＣタグ。
【発明の詳細な説明】
【技術分野】
【０００１】
本発明はＩＣタグに関するものである。このＩＣタグは、例えば、商品や部品等の物品に取り付けて使用できる。そして、このＩＣタグを取り付けた物品を倉庫等に収容したときにも、必要に応じてその物品を容易に探し出すことができる。
【背景技術】
【０００２】
商品や部品等にＩＣタグを取り付けて倉庫等に保管する技術は周知である。このＩＣタグに対して、外部のリーダーライターから特定の信号を送信すると、この特定信号に対応するＩＣタグが応答するから、必要な物品を探し出すことができる。
【０００３】
例えば、特許文献１は、これら物品にＩＣタグを取り付けると共に、その保管場所にもＩＣタグを取り付け、かつ、これら物品用ＩＣタグと保管場所用ＩＣタグに、それぞれ、識別情報を記憶させ、リーダーライターを走行させながら、物品用ＩＣタグ及び保管場所用ＩＣタグから、これら各識別情報を一括して受信する技術を開示している。保管場所用ＩＣタグから受信した保管場所用識別信号の種類及び受信強度と、物品用ＩＣタグから受信した物品用識別信号の種類及び受信強度とを付き合わせることにより、それぞれの保管場所に保管されている物品を特定することができる。
【先行技術文献】
【特許文献】
【０００４】
【特許文献１】特開２００９−２４２０５８号公報
【発明の概要】
【発明が解決しようとする課題】
【０００５】
しかしながら、このように保管場所用識別信号及び物品用識別信号を一括して受信する場合には、受信したこれら多数の識別情報の中から、必要な物品の識別情報を探さなければならない。そして、その物品用識別情報を保管場所用識別信号と突き合わせてはじめて目的とする個々の物品の保管場所が特定できるのである。
【０００６】
また、このように目的とする物品の保管場所が特定できた場合であっても、その保管場所が暗い場合には、このように暗い保管場所から目的とする物品を探し出すことは煩雑である。
【０００７】
そこで、本発明は、保管場所から個々の物品を容易に探し出すことのできる物品用のＩＣタグを提供することを目的とする。また、本発明によれば、保管場所が暗い場合であっても、目的とする個々の物品を探し出すことが容易である。
【課題を解決するための手段】
【０００８】
すなわち、請求項１に記載の発明は、ＩＣチップと、このＩＣチップに接続された受信アンテナと、前記ＩＣチップに接続された発光素子とを備えて成るＩＣタグであって、
前記ＩＣチップが、このＩＣタグに固有の識別情報を記憶しており、
外部から前記アンテナを通じて前記識別情報を受信したとき、前記発光素子を発光させることを特徴とするＩＣタグである。
【０００９】
次に、請求項２に記載の発明は、前記ＩＣチップと発光素子との間に、この発光素子の発光を制御する制御回路が接続されていることを特徴とする請求項１に記載のＩＣタグである。
【００１０】
次に、請求項３に記載の発明は、前記ＩＣチップが、前記アンテナを通じて外部から給電される電力で駆動されることを特徴とする請求項１又は２に記載のＩＣタグである。
【００１１】
次に、請求項４に記載の発明は、前記発光素子に給電する電池を備えることを特徴とする請求項１〜３のいずれかに記載のＩＣタグである。
【発明の効果】
【００１２】
本発明のＩＣタグは、そのＩＣタグに固有の識別情報（固有識別情報）を記憶しており、リーダーライターの信号に応じて、この固有識別情報を受信したときに発光素子を発光させる。このため、多数の物品が同一の保管場所に保管されていた場合であっても、これら多数の物品の中から、このＩＣタグを取り付けた目的の物品を容易に探し出すことができる。また、保管場所が暗い場合であっても、発光素子が発光するから、目的の物品を探し出すことは容易である。
【図面の簡単な説明】
【００１３】
【図１】本発明のＩＣタグの具体例を示す平面図である。
【発明を実施するための形態】
【００１４】
次に、具体例によって本発明を説明する。図１はその具体例を示す平面図である。
【００１５】
本発明は物品に取り付けるＩＣタグである。取り付ける手段は任意の方法であってよい。例えば、ＩＣタグに吊り下げ孔を設けてこの吊り下げ孔に紐や糸を通し、これら紐や糸を物品につないでもよい。また、接着剤で物品に接着してもよい。図１に示す具体例は、吊り下げ孔を有するものである。
【００１６】
本発明のＩＣタグは、ＩＣチップ、受信アンテナ及び発光素子の三者を備える必要がある。受信アンテナはプラスチックシート等の基板上に配線して形成することができる。例えば、基板にアルミニウム箔や胴箔等の金属箔を接着し、この金属箔をエッチングしてアンテナを含む電気回路形状に加工することで形成することが可能である。又、銅線等の金属線を前記電気回路形状に引き回しながら基板に接着することによりアンテナを形成することもできる。そして、この電気回路の所定位置にＩＣチップと発光素子とを搭載することで本発明のＩＣタグを製造することができる。
【００１７】
ところで、受信アンテナは外部の機器、例えばリーダーライターから送信された信号を受信して、ＩＣチップに入力するものである。このため、受信アンテナはＩＣチップに接続されている必要がある。この受信アンテナとしては、ダイポールアンテナやループアンテナが使用できるが、この例ではダイポールアンテナを使用している。また、アンテナとＩＣチップとは、導電性の配線によって直接接続されていてもよいが、トランス結合を通じて接続されていてもよい。
【００１８】
次に、ＩＣチップは、このＩＣタグに固有の識別情報（固有識別情報）を記憶しており、この固有識別情報によって、このＩＣタグが取り付けられた物品をその他の物品から区別している。そして、このＩＣチップは、受信アンテナを通じて外部機器から入力された信号とこの固有識別情報とを対比し、両者が一致するときに限って、発光素子を発光させる信号を出力する。なお、このＩＣチップを駆動させる電力は、前記受信アンテナを通じて外部機器から給電することができる。あるいは、ＩＣタグに電池を内蔵させて、この内蔵電池によって給電させることも可能である。
【００１９】
なお、このＩＣチップには、固有識別情報に加えてその他の情報を記憶することもでき
る。例えば、ＩＣタグが取り付けられる物品の種類や原材料等の情報である。これら情報は、固有識別情報を含めて、前記受信アンテナを通じて外部機器によって書き込むことが可能である。
【００２０】
次に、発光素子はＩＣチップからの出力に基づいて発光するものである。この発光素子としては、発光ダイオードやＥＬ素子を使用することができる。発光素子とＩＣチップとの間には、この発光素子の発光と非発光とを制御する制御素子が介在していることが望ましい。図の例はこのように発光素子とＩＣチップとの間に制御素子が介在させたＩＣタグの例であり、ＩＣチップからの信号に応じて制御素子が発光素子を駆動して発光する。この制御素子としては周知の半導体チップを使用することができる。
【００２１】
また、この発光素子を駆動して発光させる電力は、前記受信アンテナを通じて外部機器から給電することができる。もっとも、この発光素子駆動用電力は比較的大きい電力を要することから、ＩＣタグに電池を内蔵させて、この内蔵電池によって給電することが望ましい。図のＩＣタグは内蔵電池によって給電するものである。
【００２２】
以上のように、本発明のＩＣタグは固有の識別信号を記憶しており、この固有識別信号と同一の信号を受信したときに限り発光素子を発光させるから、リーダーライター等の外部機器によって、目的とする物品に取り付けられたＩＣタグの識別信号を送信すると、その物品に取り付けられたＩＣタグに限って発光する。このため、たとえ暗い倉庫等であっても、迷うことなく、目的の物品の保管位置を特定して探し出すことができるのである。
【００２３】
なお、保管場所から物品を探し出す場合を例として説明したが、多数の物品が搬送されている状況の中で、搬送中のこれら多数の物品の中から特定の物品を探し出す場合にも利用できることは明らかである。
【図１】
2016218501.tif 000003